(57)【要約】【課題】椅子の種類により異なる、座面等の形状・幅および奥行き、肘掛けと座面の相互関係の寸法差を吸収して、汎用性があり美観を保ちながら椅子を被覆する椅子カバーを提供することを課題とする。【解決手段】着座面の前端位置より前面座下の底面までを構成する座面前面の被覆部表皮の両端に、その位置を扇の中心として、当該座面前面被覆部の奥行き寸法とほぼ同一の半径であり、折り畳みおよび寸法調整可能な扇状の被覆部を縫合止着して一体となった座面被覆用表皮を構成する。【選択図】        図１
0003107277.tif 000002
【実用新案登録請求の範囲】
【請求項１】
座面前面、座面、背面、背面後面、肘掛け、肘掛け外側面の被覆各部より構成された椅子カバー表皮に於いて、座面前端位置より前面座下の底面位置までを構成する座面前面被覆部表皮の左右両端部または、片端部に、当該端部を略扇状中心とし、座面前面被覆部の奥行き寸法と略同一となる半径で、扇中心角６０度以上１２０度未満となる扇状調整部表皮を縫合止着して一体となした椅子カバー。
【請求項２】
座面前面、座面、背面、背面後面、肘掛け、肘掛け外側面の被覆各部より構成された椅子カバー表皮に於いて、請求項１に示した扇状調整部表皮が、座面前面被覆部及び座面被覆部と一枚の表皮として裁断縫製してなる椅子カバー。
【請求項３】
座面前面被覆部、および肘掛け外側面被覆部に、扇状調整部の中心軸を挟み、中心軸に略対称となる位置に、扇状調整部表皮の折り畳み結束に用いる締結帯を１対以上縫合してなる請求項１、請求項２に示す椅子カバー。
【考案の詳細な説明】
【技術分野】
【０００１】本考案は、ソファー、椅子の上掛けに使用される椅子カバーに関する。
【背景技術】
【０００２】従来の多くの縫製方法による椅子の上掛けに使用される汎用の椅子カバーは、カバーを被せる椅子そのものへ密着被覆させず、ゆるく被せ、あるいは椅子上に載置する程度のルーズな寸法で縫製を行ったものが知られている。
【考案の開示】
【考案が解決しようとする課題】
【０００３】  一般に周知のとおり、椅子の外形形状、寸法は様々であり、仮に椅子カバーを被せる椅子そのものへ密着させて被覆するためには、被覆される椅子の外形形状に合わせて専用の椅子カバーを縫製することを要していた。【０００４】一方、専用の椅子カバーを縫製して使用する場合、被覆される椅子の種類に応じた数量の専用の椅子カバーを作ることを要するため、製作すべき数量が膨大であることより、これらの椅子カバー数を合理化することも求められていた。【０００５】そのため、汎用の椅子カバーと称して、椅子の機種を特定せず、被覆対象となる椅子に密着装着させることを犠牲にして、より多くの椅子に載置、被覆可能なカバーが設けられて来た。【０００６】他方では、被覆される椅子に関しても、基本となる椅子形状を定め、その座面、背面、肘掛け部の部分的な意匠変更を行い、椅子として変種・亜種を設ける場合が多くあるが、これらの椅子に密着被覆させる為には、基本が同一であるにも係わらず、その都度、専用の椅子カバーを新設しなければならないという不都合もあった。【０００７】密着被覆した専用椅子カバーと、汎用椅子カバーでの椅子への密着度の差は、とりわけ座面の前端部や、肘掛け部の前面で顕著に現れる傾向が鮮明である。【０００８】すなわち、視覚的に、前面にある部分で最も目に触れ易く、また利用者が着座しての指触や着座感においても差の出易い、座面の前端部や、肘掛け部の前面での被覆状況の整合性（フィット性）が専用、汎用の差での重要な分岐点となっている。【０００９】本考案は、上述の様な汎用的に利用可能な椅子カバーに於ける、椅子への密着度という課題を解消する為に、カバー形状の調整を行う表皮部分を設けた構造により、寸法差を吸収し、椅子との密着度を高めて椅子カバーを装着した後、椅子カバーに縫着した締結帯により、余剰となる表皮が生じた場合にはそれを隠蔽することのできる整合性（フィット性）に優れた椅子カバーを提供するものである。
【課題を解決するための手段】
【００１０】あらかじめ標準的な寸法体系である、座面前面被覆部、座面被覆部、背面被覆部、背面後面被覆部、左右の肘掛け被覆部、左右肘掛け外側面被覆部よりなる椅子カバーの基本表皮を構成する。【００１１】上述の椅子カバーの基本表皮に於いて、座面前面被覆部と座面被覆部の境目となる座面前端位置より前面座下の底面位置までを構成する座面前面被覆部の左右両端部に、形状調整用の表皮を縫合止着する。【００１２】形状調整用の表皮は、座面前面被覆部の左右両端部を中心とした、扇状の形状とし、座面前面被覆部の奥行き寸法と概ね同一となる半径とし、その中心角度は概ね１／４（１／５から１／３）円弧とする。【００１３】上述の構造となる椅子カバーでは、被覆対象とする椅子に載置した後、椅子それぞれの部位に表皮をあてがい、表皮を座面と肘掛けの接続部、および、座面と背面の接続部に押し込み密着させる作業を行なった後に、最終形状調整として扇状調整部にて、余剰となる表皮を折り畳み吸収する。【００１４】最後に扇状調整部の中心軸を挟んで、中心軸に概ね対称となる位置の座面前面被覆部、および左右肘掛け外側面被覆部に縫着した対となった締結帯により、扇状調整部を結束する。
【考案の効果】
【００１５】本考案に係る椅子カバーは、上述の様な構成であるため、下記の通りの効果を奏し得る。
○汎用椅子カバーでありながら、専用カバーにほぼ近い審美感が得られる。
○様々な座面堤部の形状が異なる椅子に適合して利用できる。
○様々な座面幅の異なる椅子に適合して利用できる。
○様々な肘掛けの形状の異なる椅子に適合して利用できる。
○扇状調整部折り畳み後の外観形状そのものの意匠性が高く、審美性に優れる。
【考案を実施するための最良の形態】
【００１６】考案を実施するための最良の形態を以下の実施例を元に具体的に示す。
【実施例】
【００１７】図１は、本考案に係る椅子カバーの平面図を示し、図２、図３は、本考案に係る扇状調整部の構成を示す図であり、図４は、椅子カバー全体の構成図を示している。【００１８】図５は、椅子カバーの被覆状態を示す縦断面図を示す。【００１９】図６から図８は、良く知られた被覆される椅子の代表例の上面図を示す。【００２０】図９、図１０は、椅子カバーの被覆作業途中に於ける扇状調整部を調整する作業中の状態の斜視図である。【００２１】図１１は、本考案に係る椅子カバーを装着した椅子の完成状態の一例を示す斜視図である。【００２２】図１に示す様に、あらかじめ標準的な寸法体系である、座面前面被覆部１、座面被覆部２、背面被覆部３、背面後面被覆部４、左右の肘掛け被覆部５、左右肘掛け外側面被覆部６部分を裁断縫製して基本形の椅子カバーを構成する。【００２３】上述の基本形の椅子カバーの表皮に於いて、座面前面被覆部１と座面被覆部２の境目となる座面前端位置１９より前面座下の底面位置２０までを構成する座面前面被覆部１の左右両端部に、幅、および形状調整用に用いる扇状調整部８を縫合止着する。【００２４】図２に示す様に、この形状調整用の扇状調整部８は、座面前面被覆部１の左右両端部を中心とした扇状の形状とし、座面前面被覆部１の奥行き寸法１５と概ね同一となる半径１４とし、その扇状の中心角度１７は概ね９０度を基本にするが、品種により６０度より１２０度としても良い。【００２５】椅子カバーの全幅１８は、上記の座面前面被覆部１と扇状調整部８により表わされ、その寸法は、下記の通りである。【００２６】
【式１】
（全幅１８）＝（座面前面被覆部１の幅）＋（扇状調整部８の半径１４）×２≒（座面前面被覆部１の幅）＋（扇状調整部８の奥行き１５）×２
【００２７】また一方、図２に示す様に、椅子への被覆の際に、座面幅に合わせて、扇状調整部８の中心位置を間口方向内側に引き込む為に、座面前面被覆部１の左右両端部の一定寸法は、同時に折り込み部１６とし、実際の被覆では図３に示す様に、この部分を寸法調整用に折り畳み用いる場合もある。
【００２８】図４に示す様に、扇状調整部８は、座面前面被覆部１に縫合止着するが、椅子カバーとしての審美性の観点より、１枚の表皮として裁断縫製して良く、すなわち、実利用に於いては、座面前面被覆部１と座面被覆部２、および扇状調整部８の３部分を１枚の表皮とすることが適している。
【００２９】図５に示す様に、上述の構造となる椅子カバーでは、被覆対象とする椅子に載置した後、椅子それぞれの部位にあてがい、表皮を座面１０と肘掛け１１の接続部、および、座面１０と背面１２の接続部に押し込み密着させる作業を行なった後に、最終形状調整として扇状調整部８にて、余剰となる表皮を折り畳み吸収する。
【００３０】本考案に於ける最も特長的であるのが、形状調整用の表皮を扇状としたことであるが、これは、扇は、半径が一定な為、余剰な表皮が出ても外側に突出することがなく、また扇子を畳む様に簡易な束ね方で、形状および寸法調整が可能となるためである。
【００３１】例えば、図６に示す様に、被覆される椅子の、座面１０、肘掛け１１、背面１２、座面堤部１３がほぼ矩形の角形に近い形状の場合、外形寸法は最大となるため、椅子カバーは拡張し、扇状調整部８にて余剰となり折り畳み吸収される表皮は少なくなる。
【００３２】例えば、図７に示す様に、被覆される椅子の、座面堤部１３が角丸型となり、かつ肘掛け１１と背面１２のつながりが円弧状の場合、外形寸法は最小となるため、椅子カバーはたるむ為、折り込み部１６を活用して、余剰な表皮の折り込みを行う他、扇状調整部８にて、余剰となり折り畳み吸収される表皮は、多くなる。
【００３３】更に、図８に示す様に、被覆される椅子の肘掛け前マチが傾斜している場合など複合形状では、外形寸法の大小とは無関係に、折り込み部１６を活用した折り込みと、扇状調整部８にての折り畳みを柔軟に組み合わせて表皮の密着を計ることが可能である。
【００３４】上述の実作業例として図９に示す様に、まず被覆する椅子に椅子カバーを載置し、肘掛け被覆部５、肘掛け前マチ７の位置を決めて、座面被覆部２、背面被覆部３の位置決めを行い、次に座面前面被覆部１を巻き込み、折り込み部１６および扇状調整部８で仕上げ調整を行う準備をする。
【００３５】さらに、図１０に示す様に、折り込み部１６を折り込み、扇状調整部８の中心位置を定め、扇が満遍なく椅子を覆う様に調整する。
【００３６】最後に図１１に示す様に、扇状調整部８の中心となる軸を挟んで、中心軸に概ね対称となる位置の座面前面被覆部１、および左右肘掛け外側面被覆部６に縫着した１対の締結帯９により、扇状調整部８を結束する。
【００３７】締結帯９は、少なくとも片端部１対で良いが、何対設けても良く、図１に示す通り、背面後面被覆部４および肘掛け外側面被覆部６に設け、結束による調整機能を持たせても良い。
【００３８】本考案の椅子カバーでは、図１１に示す様に、専用カバー同等に椅子の座面１０、肘掛け１１、背面１２への整合性（フィット性）に優れると共に、汎用カバーの多くで見られる様に通常密着性のない部分を、扇状調整部８を用いて折り畳みを行うことで、解消し、さらに審美性をもたらすものである。
【図面の簡単な説明】
【００３９】
【図１】本考案に係る椅子カバーの平面図である。
【図２】本考案に係る扇状調整部の構成図である。
【図３】本考案に係る扇状調整部の構成図である。
【図４】本考案に係る椅子カバーの構成図である
【図５】椅子カバーの被覆状態を示す縦断面図である。
【図６】被覆される椅子の上面図である。
【図７】被覆される椅子の上面図である。
【図８】被覆される椅子の上面図である。
【図９】扇状調整部を装着する前の状態の斜視図である。
【図１０】扇状調整部を装着中の状態の斜視図である。
【図１１】本考案に係る椅子カバーを装着した椅子の完成状態斜視図である。
【符号の説明】
【００４０】  １    座面前面被覆部
２    座面被覆部
３    背面被覆部
４    背面後面被覆部
５    肘掛け被覆部
６    肘掛け外側面被覆部
７    肘掛け前マチ
８    扇状調整部
９    締結帯
１０    座面
１１    肘掛け
１２    背面
１３    座面堤部
１４    半径
１５    奥行き
１６    折り込み部
１７    扇状の中心角度
１８    全幅
１９    座面前端位置
２０    底面位置
２１    結び目
２２    手
【図１】
0003107277.tif 000003
【図２】
0003107277.tif 000004
【図３】
0003107277.tif 000005
【図４】
0003107277.tif 000006
【図５】
0003107277.tif 000007
【図６】
0003107277.tif 000008
【図７】
0003107277.tif 000009
【図８】
0003107277.tif 000010
【図９】
0003107277.tif 000011
【図１０】
0003107277.tif 000012
【図１１】
0003107277.tif 000013